【事件の表示】
　特願２００７−　４２９８１「映像プリント装置、及び映像プリント方法」拒絶査定不服審判事件〔平成１９年　９月２７日出願公開、特開２００７−２５１９３８〕について、次のとおり審決する。
【結　論】
　本件審判の請求は、成り立たない。
【理　由】
第１　手続の経緯
　本願は、平成１０年７月１４日に出願した特願平１０−１９９２７０号の一部を平成１９年２月２２日に新たな特許出願としたものであって、平成２１年７月２８日付けで拒絶査定がなされ、これに対し、平成２１年１１月４日に拒絶査定に対する審判請求がなされるとともに、同日付けで手続補正がなされたものである。
　
第２　平成２１年１１月４日付けの手続補正（以下「本件補正」という。）についての補正却下の決定
［補正却下の決定の結論］
　平成２１年１１月４日付けの手続補正を却下する。
［理由］
１．本件補正により、特許請求の範囲の請求項１は次のとおり補正された。
「予め準備されている画像と、利用者の肖像を合成した画像を表示、印刷する映像プリント装置であって、
　少なくとも、
　操作者の指示を入力する入力手段と、
　利用者の肖像と合成する合成用画像データを予め記憶しておく合成用画像データ記憶手段と、
　利用者を撮影する撮影手段と、
　前記合成用画像データ記憶手段に記憶されている合成用画像データから１つ又は複数の合成用画像データを選択する合成用画像データ選択手段と、
　前記撮影手段により撮影された利用者の肖像により作成された人物画像データと、前記合成用画像データ選択手段により選択された合成用画像データを合成して合成画像を編集、生成する画像データ合成手段と、
　前記画像合成手段により合成された合成画像を表示する表示手段と、
　前記画像合成手段により合成された合成画像を印刷用紙に印刷する印刷手段と、
　撮影用の照明手段と、
　前記合成用画像データ選択手段により選択された前記合成用画像データに応じて、当該合成用画像データに対して予め設定された、当該合成用画像データのデザインに適した照明を判断し、その照明に適合するように前記照明手段の点灯制御を自動的に行う点灯制御部と、を備える、
　ことを特徴とする映像プリント装置。」
　
２．補正の目的の適否
　上記請求項１の補正は、補正前の請求項１に記載した発明を特定する「当該合成用画像データのデザインに適した照明」について、「当該合成用画像データに対して予め設定された」と限定し、「点灯制御を行う点灯制御部」について、点灯制御を「自動的に」行うと限定するものであるから、特許法第１７条の２第４項第２号で規定する特許請求の範囲の減縮を目的とするものに該当する。
　
３．独立特許要件についての検討
　そこで、本件補正後の請求項１に係る発明（以下「補正発明」という。）が独立特許要件（特許法第１７条の２第５項において準用する同法第１２６条第５項の規定）を満たすか否かについて以下に検討する。
　
（１）補正発明
　本件補正後の請求項１に係る発明は、平成２１年１１月４日付けの手続補正書により補正された明細書及び図面の記載からみて、次のとおりのものであると認められる。
　
「予め準備されている画像と、利用者の肖像を合成した画像を表示、印刷する映像プリント装置であって、
　少なくとも、
　操作者の指示を入力する入力手段と、
　利用者の肖像と合成する合成用画像データを予め記憶しておく合成用画像データ記憶手段と、
　利用者を撮影する撮影手段と、
　前記合成用画像データ記憶手段に記憶されている合成用画像データから１つ又は複数の合成用画像データを選択する合成用画像データ選択手段と、
　前記撮影手段により撮影された利用者の肖像により作成された人物画像データと、前記合成用画像データ選択手段により選択された合成用画像データを合成して合成画像を編集、生成する画像データ合成手段と、
　前記画像合成手段により合成された合成画像を表示する表示手段と、
　前記画像合成手段により合成された合成画像を印刷用紙に印刷する印刷手段と、
　撮影用の照明手段と、
　前記合成用画像データ選択手段により選択された前記合成用画像データに応じて、当該合成用画像データに対して予め設定された、当該合成用画像データのデザインに適した照明を判断し、その照明に適合するように前記照明手段の点灯制御を自動的に行う点灯制御部と、を備える、
　ことを特徴とする映像プリント装置。」
　
（２）引用例
　ア．引用例の記載事項
　原査定の拒絶の理由に引用された特開平７−２９８１２３号公報（以下「引用例１」という。）には、名称を「画像印刷装置」とする発明について次のことが記載されている。
　
（ア）【実施例】以下、図面を参照して、この発明の一実施例である画像印刷装置について説明を行う。
　図１は、この実施例の構成および構造を示す側面図であり、この図の１は被撮影者１００が座るベンチ、２はベンチ１に座った被撮影者１００の主に顔面部の映像を受像するビデオカメラ、３は各種処理を行うコンピュータ、４は画像を表示するＣＲＴ（ディスプレイ）、５はビデオカメラ２の受像に影響を与えずにＣＲＴ４の表示映像を被撮影者に対して反射するハーフミラー、６はビデオカメラ２の位置調整などを行う操作部、７は映像をカラー印刷するプリンタ、７ａはプリンタ７から出力される印刷結果、８は撮影用の照明装置、９は室内照明、１１は投入される貨幣を識別し、収納する料金ボックスである。この料金ボックス１１は必要により設置されるものである。
　・・・
　図２は上記コンピュータ３の構成を示すブロック図であり、この図において、２０はコンピュータ３の各部の制御およびデータ処理を行うＣＰＵ、２１はＣＰＵ２０の制御プログラム（図３参照）などが記憶されたＲＯＭ、２２はＣＰＵ２０の作業領域として使用されるＲＡＭ、２３は複数種類の背景画像がデータとして複数記憶されているＨＤＤ（ハードディスク装置）、２４はコンピュータ３の外部とデータのやり取りを行うＦＤＤ（フロッピーディスク装置）である。
　また、２５は画像データを記憶するＶＲＡＭであり、ビデオカメラ２から供給される画像データを一時的に記憶する受像領域と、ＣＰＵ２０の処理結果である画像データ（つまり、ＣＲＴ４へ供給される画像データ）を記憶する表示領域と、印刷のための画像データを記憶する印刷領域とを有する。また、２６は周辺機器Ｉ／Ｆ（インターフェイス）回路であり、操作部６から供給される操作情報および料金ボックス１１から供給される金額情報をＣＰＵ２０へ出力するとともに、ＣＰＵ２０から供給されるズーム情報をビデオカメラ２へ出力し、さらに、位置移動情報をビデオカメラ２の位置を移動させる位置制御機構（図示略）へ出力する。
　また、上述したＲＯＭ２１、ＲＡＭ２２、ＨＤＤ２３、ＦＤＤ２４、ＶＲＡＭ２５，周辺機器Ｉ／Ｆ２６は、バス２７を介してＣＰＵ２０と接続されている。さらに、バス２７はプリンタ７とも接続され、ＣＰＵ２０からの印刷情報がバス２７を介してプリンタ７へ供給される。（段落【００１９】、【００２０】、【００２２】ないし【００２４】）
　
（イ）また、図５は操作部６の上面図であり、この図において、６ａは上述したビデオカメラ２の位置調整を行うジョイスティックレバーであり、同レバー６ａを傾けた方向にビデオカメラ２の位置が移動する。また、６ｂは映像ズーミングレバーであり、受像する被撮影者１００の映像が、上方に動かすと拡大、下方に動かすと縮小される。なお、このジョイスティックレバー６ａは後述する背景画の選択にも利用される。
　また、６ｃは確認スイッチであり、各種処理における被撮影者１００の選択および確認の有無を入力する。なお、ビデオカメラ２のピント調整はビデオカメラ２が自動的に行う。（段落【００２６】、【００２７】）
　
（ウ）次に、図６はＣＲＴ４（図１）の表示例であり、以下この図および図３に示すフローチャートに基づいて、本実施例の動作説明を行う。
　まず、図３のステップＳＰ１において、ＣＲＴ４へ図６（ａ）に示すような案内表示がなされる。被撮影者は、この案内に従って料金ボックス１１へ所定額の貨幣を投入する。ステップＳＰ２では、この入金額を調べ、正規の入金がなされた場合には次のステップＳＰ３へ進む。
　ステップＳＰ３では、図６（ｂ）に示すような背景画選択画面がＣＲＴ４へ表示される。この選択画面には、四角の枠で囲まれた風景、人物などの背景画が複数表示され、それらの他にキャンセル用の枠が表示される。また、これらの背景画の１つは網掛け表示（枠の赤色表示などの方法でもよい）により、他のものと識別可能な状態で表示されており、この表示のなされた枠が現在の選択対象とされる背景画を示す。
　被撮影者は、ベンチ１に座った状態でハーフミラー５に映し出される選択画面を見ながら、ジョイスティックレバー６ａ（図５）を操作し、選択する背景画を好みの背景画に切り替えて、確認スイッチ６ｃ（図５）を押し選択を確定する。そして、ステップＳＰ５において、最終的な背景画が決定されたか否かが調べられ、決定された場合には次のステップＳＰ６へ進みむ。
　決定されない場合、つまり選択された背景画が最終的な背景画でない場合には、ステップＳＰ３へ戻り、ステップＳＰ４で選択された背景画に関係する複数の背景画が選択画面として表示される。この選択画面には、例えば、前回の選択（ステップＳＰ４）により選ばれた背景画の同一地点の季節ごとの風景や、異なる角度から見た風景、登場人物が異なる風景などが表示される。
　被撮影者は、この選択画面においてさらに選択を行い（ステップＳＰ４）、最終的な背景画を決定する（ステップＳＰ５「Ｙｅｓ」）。ただし、以上の選択において、キャンセルの枠が選択および確定された場合には、ステップＳＰ４でなされた選択を無効とし、１つ前の選択画面を表示させる。（段落【００２８】ないし【００３３】）
　
（エ）ステップＳＰ６では、図６（ｄ）に示すように、決定された背景画、人物とその顔枠（図中網掛け）などをＣＲＴ４に表示させる。このとき、特徴的な服装や髪型の人物が少なくとも一人表示され、このうちの一人は顔枠を有している。また、この顔枠には、ビデオカメラ２によって受像された被撮影者の顔部の画像が表示される。
　つまり、ＣＰＵ２０（図２参照）は、選択された背景画の画像データをＨＤＤ２３からＶＲＡＭ２５の表示領域に転送するとともに、その顔枠部の領域へＶＲＡＭの受像領域に記憶されたビデオカメラ２からの画像データを転送する。これにより、顔枠部のみに被撮影者の顔部の映像が表示される。なお、ＶＲＡＭ２５の顔枠部の領域へのデータ転送は逐次行われる。
　また、このとき、通常点灯している室内照明９（図１参照）が消され、照明装置８が点灯する。被撮影者は選択した背景画に対応して、この照明装置の色、光度を調整することができる。
　被撮影者は、さらに、上述したハーフミラー５に映し出されるＣＲＴ４の表示を見つつ、顔枠とその顔枠内に表示される自分の顔の位置およびサイズが一致するように、ジョイスティックレバー６ａ（図５参照）および映像ズーミングレバー６ｂを操作し、調整する（ステップＳＰ７）。また、好みにより被撮影者を斜めから見た顔画像を映すこともでき、例えばジョイスティックレバー６ａを右側に倒すと、ビデオカメラ２（図４参照）が被撮影者１００を中心として右方向に移動する。なお、この場合でも、被撮影者は移動することなく、ハーフミラー５を正視しつつ操作を行うことができる。
　そして、ステップＳＰ８において操作終了か否か、つまり確認スイッチ６ｃが押されたか否かを調べ、このスイッチが押された場合には次のステップＳＰ９へ進み、押されない場合には上記ステップＳＰ７の処理を繰り返す。
　ステップＳＰ９では、ＶＲＡＭ２５（図２）の表示領域に記憶された画像データを印刷領域に転送するとともに、図６（ｆ）に示すような案内画面をＣＲＴ４に表示する。そして、ステップＳＰ１０において、ＣＰＵ２０からプリンタ７へ印刷指示が出力され、プリンタ７は上記印刷領域に記憶された画像データに基づいて印刷を行う。この印刷結果７ａ（図１参照）は、被撮影者１００へ出力され、全処理を終了する。（段落【００３４】ないし【００３９】）
　
　イ．引用例１に記載された発明
（ａ）画像印刷装置
　
　上記記載（ア）ないし（エ）によれば、引用例１には、予め準備されている背景画と、被撮影者の顔部の画像を合成した画像をＣＲＴ４に表示し、プリンタ７で印刷する画像印刷装置が記載されている。
　
（ｂ）操作部６、ＨＤＤ２３、ビデオカメラ２
　
　上記記載（ア）、（イ）によれば、引用例１の画像印刷装置は、被撮影者がカメラの位置調整等を行う操作部６、被撮影者の顔部の画像と合成する複数の背景画を予め記憶しておくＨＤＤ２３、被撮影者を撮影するビデオカメラ２を備えている。
　
（ｃ）背景画を選択する手段、被撮影者の顔部の画像と背景画を合成して合成画像を編集、生成する手段、ＣＲＴ４
　
　上記記載（ウ）、（エ）によれば、引用例１の画像印刷装置では、被撮影者は映し出される背景画選択画面を見ながら、操作部６のジョイスティックレバー６ａを操作し、好みの背景画を選択し、確認スイッチ６ｃを押し背景画の選択を確定していることから、ＨＤＤ２３に記憶されている背景画から１つの背景画を選択する手段を備えているといえる。
　また、引用例１の画像印刷装置では、ビデオカメラ２により撮影された被撮影者の顔部の画像を、確認スイッチ６ｃを押すことにより選択が確定した背景画の顔枠部に合成し、合成された画像はＣＲＴ４に表示していることから、ビデオカメラ２により撮影された被撮影者の顔部の画像と、背景画を選択する手段により選択された背景画を合成して合成画像を編集、生成する手段、合成された合成画像を表示するＣＲＴ４を備えているといえる。
　
（ｄ）プリンタ７、照明装置、照明装置の調整
　
　上記記載（エ）によれば、引用例１の画像印刷装置は、被撮影者の顔部の画像と背景画を合成した画像を印刷するプリンタ７、撮影時に使用する照明装置８を備え、また、引用例１の画像印刷装置では、被撮影者は選択した背景画に対応して、照明装置８の色、光度を調整することができるのであるから、選択した背景画に対応して照明装置８を調整する調整部を備えていることは明らかである。
　
（ｅ）まとめ
　上記（ａ）ないし（ｄ）によれば、引用例１に記載された発明（以下「引用発明」という。）として、以下のとおりのものを認定することができる。
　
「予め準備されている背景画と、被撮影者の顔部の画像を合成した画像をＣＲＴ４に表示し、プリンタ７で印刷する画像印刷装置であって、
　被撮影者がカメラの位置調整等を行う操作部６と、
　被撮影者の顔部の画像と合成する複数の背景画を予め記憶しておくＨＤＤ２３と、
　被撮影者を撮影するビデオカメラ２と、
　ＨＤＤ２３に記憶されている背景画から１つの背景画を選択する手段と、
　ビデオカメラ２により撮影された被撮影者の顔部の画像と、背景画を選択する手段により選択された背景画を合成して合成画像を編集、生成する手段と、
　合成された合成画像を表示するＣＲＴ４と、
　被撮影者の顔部の画像と背景画を合成した画像を印刷するプリンタ７と、
　撮影時に使用する照明装置８と、
　選択した背景画に対応して照明装置８を調整する調整部とを備える画像印刷装置。」
　
（３）対比
　そこで、補正発明と引用発明とを対比すると次のことが認められる。
　ア．補正発明は、「予め準備されている画像と、利用者の肖像を合成した画像を表示、印刷する映像プリント装置」に係るものであるところ、引用発明の画像印刷装置も、予め準備されている背景画と、当該装置の利用者であるともいえる被撮影者の顔部の画像を合成した画像をＣＲＴ４に表示し、プリンタ７で印刷するものであるから、引用発明は、補正発明と同様に「予め準備されている画像と、利用者の肖像を合成した画像を表示、印刷する映像プリント装置」に係るものであるといえる。
　
　イ．引用発明の「被撮影者がカメラの位置調整等を行う操作部６」、「被撮影者の顔部の画像と合成する複数の背景画を予め記憶しておくＨＤＤ２３」、「被撮影者を撮影するビデオカメラ２」、「ＨＤＤ２３に記憶されている背景画から１つの背景画を選択する手段」、「ビデオカメラ２により撮影された被撮影者の顔部の画像と、背景画を選択する手段により選択された背景画を合成して合成画像を編集、生成する手段」が、それぞれ、補正発明の「入力手段」、「合成用画像データ記憶手段」、「撮影手段」、「合成用画像データ選択手段」、「画像データ合成手段」に相当することは明らかである。
　
　ウ．また、引用発明の「合成された合成画像を表示するＣＲＴ４」、「被撮影者の顔部の画像と背景画を合成した画像を印刷するプリンタ７」、「撮影時に使用する照明装置８」が、それぞれ、補正発明の「表示手段」、「印刷手段」、「照明手段」に相当することは明らかである。
　
　エ．補正発明は、「合成用画像データ選択手段により選択された前記合成用画像データに応じて、当該合成用画像データに対して予め設定された、当該合成用画像データのデザインに適した照明を判断し、その照明に適合するように前記照明手段の点灯制御を自動的に行う点灯制御部」を備えているところ、引用発明も、選択した背景画に対応して照明装置８を調整する調整部を備えていることから、補正発明と引用発明とは、いずれも、「合成用画像データ選択手段により選択された合成用画像データに応じて、前記照明手段を調整する調整部」を備えているといえる。
　もっとも、上記「照明手段を調整する調整部」が、補正発明では、合成用画像データ選択手段により選択された前記合成用画像データに応じて、「当該合成用画像データに対して予め設定された、当該合成用画像データのデザインに適した照明を判断し、その照明に適合するように前記照明手段の点灯制御を自動的に行う」点灯制御部であるのに対し、引用発明では、合成用画像データ選択手段により選択された前記合成用画像データに応じて、被撮影者が照明手段の色、光度を調整する調整部である。
　
　以上の対比結果によれば、補正発明と引用発明との一致点、相違点は次のとおりであることが認められる。
【一致点】
　両者はいずれも、
「予め準備されている画像と、利用者の肖像を合成した画像を表示、印刷する映像プリント装置であって、
　少なくとも、
　操作者の指示を入力する入力手段と、
　利用者の肖像と合成する合成用画像データを予め記憶しておく合成用画像データ記憶手段と、
　利用者を撮影する撮影手段と、
　前記合成用画像データ記憶手段に記憶されている合成用画像データから１つ又は複数の合成用画像データを選択する合成用画像データ選択手段と、
　前記撮影手段により撮影された利用者の肖像により作成された人物画像データと、前記合成用画像データ選択手段により選択された合成用画像データを合成して合成画像を編集、生成する画像データ合成手段と、
　前記画像合成手段により合成された合成画像を表示する表示手段と、
　前記画像合成手段により合成された合成画像を印刷用紙に印刷する印刷手段と、
　撮影用の照明手段と、
　前記合成用画像データ選択手段により選択された前記合成用画像データに応じて、前記照明手段を調整する調整部と、を備える、
　ことを特徴とする映像プリント装置。」であるといえる点。
　
【相違点】
　「照明手段を調整する調整部」が、補正発明では、合成用画像データ選択手段により選択された前記合成用画像データに応じて、「当該合成用画像データに対して予め設定された、当該合成用画像データのデザインに適した照明を判断し、その照明に適合するように前記照明手段の点灯制御を自動的に行う」点灯制御部であるのに対し、引用発明では、合成用画像データ選択手段により選択された前記合成用画像データに応じて、被撮影者が照明手段の色、光度を調整する調整部である点。
　
（４）判断
　そこで、以下、上記相違点について検討する。
　引用発明は、引用例１の上記記載（エ）に示されるとおり、被撮影者（補正発明でいう利用者）が、選択した背景画（補正発明でいう合成用画像データ）に対応して、照明装置（補正発明でいう照明手段）の光度等を調整するものであるところ、
引用発明は、手軽にしかも短時間に被撮影者の嗜好を満足する記念写真が得られる装置を提供すること（引用例１の段落【０００６】等参照）を発明の目的としており、また、引用発明が対象とするような画像印刷装置において、利用者による操作を極力簡略化しつつ、短時間で利用者の満足のいく画像印刷物が得られるようにしようとすることは、当業者が、常に念頭に置いている事項であるといえ、さらに、照明装置の光度の調整を照明装置の点灯制御によって行うことは普通に行われていることであることからすると、
引用発明の、背景画を選択する手段（合成用画像データ選択手段）により選択された背景画（前記合成用画像データ）に対応して、被撮影者が照明手段の光度等を調整する調整部において、利用者の操作を簡略化するために、被撮影者（利用者）が照明手段を調整することに換えて、背景画を選択する手段（合成用画像データ選択手段）により選択された前記背景画（合成用画像データ）に対応して、当該背景画（合成用画像データ）に対して予め設定された、当該背景画（合成用画像データ）のデザインに適した照明を判断し、その照明に適合するように前記照明手段の制御を自動的に行うように構成し、また、当該制御を照明手段の点灯制御とすることは、当業者が格別の困難性なくなし得たことと認められる。
　
　また、補正発明の効果についてみても、上記構成の採用に伴って当然に予測される程度のものにすぎず、格別顕著なものがあるとは認められない。
　
　したがって、補正発明は、引用例１に記載された発明に基づいて、当業者が容易に発明をすることができたものであるから、特許法第２９条第２項の規定により特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項で準用する同法第１２６条第５項の規定に違反するものであり、特許法第１５９条第１項で読み替えて準用する特許法第５３条第１項の規定により却下されるべきものである。
　
第３　本願発明について
　平成２１年１１月４日付けの手続補正は上記のとおり却下されたので、本願の請求項１ないし３に係る発明は、平成２１年６月３０日付け手続補正書により補正された明細書の特許請求の範囲の請求項１ないし３に記載されたとおりのものであるところ、請求項１に係る発明（以下「本願発明」という。）は次のとおりのものである。
「予め準備されている画像と、利用者の肖像を合成した画像を表示、印刷する映像プリント装置であって、
　少なくとも、
　操作者の指示を入力する入力手段と、
　利用者の肖像と合成する合成用画像データを予め記憶しておく合成用画像データ記憶手段と、
　利用者を撮影する撮影手段と、
　前記合成用画像データ記憶手段に記憶されている合成用画像データから１つ又は複数の合成用画像データを選択する合成用画像データ選択手段と、
　前記撮影手段により撮影された利用者の肖像により作成された人物画像データと、前記合成用画像データ選択手段により選択された合成用画像データを合成して合成画像を編集、生成する画像データ合成手段と、
　前記画像合成手段により合成された合成画像を表示する表示手段と、
　前記画像合成手段により合成された合成画像を印刷用紙に印刷する印刷手段と、
　撮影用の照明手段と、
　前記合成用画像データ選択手段により選択された前記合成用画像データに応じて、当該合成用画像データのデザインに適した照明を判断し、その照明に適合するように前記照明手段の点灯制御を行う点灯制御部と、を備える、
　ことを特徴とする映像プリント装置。」
　
１．引用例
　原査定の拒絶の理由に引用された引用例１及びその記載事項は、前記「第２　３．（２）」に記載したとおりであり、引用例１に記載された発明として、前記「第２　３．（２）イ．」の「引用発明」を認定することができる。
　
２．対比
　本願発明と引用発明との対比として、「当該合成用画像データのデザインに適した照明」が「当該合成用画像データに対して予め設定された」点、及び、「点灯制御を行う点灯制御部」が「自動的に」行う点を除き、前記「第２　３．（３）」の対比を援用する。
　そうすると、本願発明と引用発明とは、
［一致点］
　両者はいずれも、
「予め準備されている画像と、利用者の肖像を合成した画像を表示、印刷する映像プリント装置であって、
　少なくとも、
　操作者の指示を入力する入力手段と、
　利用者の肖像と合成する合成用画像データを予め記憶しておく合成用画像データ記憶手段と、
　利用者を撮影する撮影手段と、
　前記合成用画像データ記憶手段に記憶されている合成用画像データから１つ又は複数の合成用画像データを選択する合成用画像データ選択手段と、
　前記撮影手段により撮影された利用者の肖像により作成された人物画像データと、前記合成用画像データ選択手段により選択された合成用画像データを合成して合成画像を編集、生成する画像データ合成手段と、
　前記画像合成手段により合成された合成画像を表示する表示手段と、
　前記画像合成手段により合成された合成画像を印刷用紙に印刷する印刷手段と、
　撮影用の照明手段と、
　前記合成用画像データ選択手段により選択された前記合成用画像データに応じて、前記照明手段を調整する調整部と、を備える、
　ことを特徴とする映像プリント装置。」であるといえる点。
　
［相違点］
　「照明手段を調整する調整部」が、本願発明では、合成用画像データ選択手段により選択された前記合成用画像データに応じて、「当該合成用画像データのデザインに適した照明を判断し、その照明に適合するように前記照明手段の点灯制御を行う」点灯制御部であるのに対し、引用発明では、合成用画像データ選択手段により選択された前記合成用画像データに応じて、被撮影者が照明手段の色、光度を調整する調整部である点。
　
３．判断
　上記相違点についての判断は、前記「第２　３．（４）」の相違点についての判断と同様である。
　また、本願発明の効果についてみても、上記構成の採用に伴って当然に予測される程度のものにすぎず、格別顕著なものがあるとは認められない。
　したがって、本願発明は、引用例１に記載された発明に基づいて、当業者が容易に発明をすることができたものである。
　
４．むすび
　以上のとおり、本願の請求項１に係る発明は、引用例１に基づいて当業者が容易に発明をすることができたものであるから、特許法第２９条第２項の規定により特許を受けることができない。
　したがって、本願の他の請求項について検討するまでもなく、本願は拒絶されるべきものである。
　よって、結論のとおり審決する。